(57)【特許請求の範囲】
【請求項１】
遊技盤の表面に略垂直に打ち込まれる釘と、外周面に複数の羽根部材が設けられた筒状の回転部材を有し前記釘に回転自在に装着されて前記遊技盤の上方から落下する遊技球の転動方向を左または右に変化させる転動方向変化手段と、を備えた弾球遊技機において、
前記遊技盤の表面と釘の頭部との間に、釘の打ち込み部より径大に形成され、遊技盤の表面と釘の頭部との間の寸法と同一長さでかつ前記回転部材の長さより長い固定軸を、その両端が前記遊技盤の表面と釘の頭部に当接状態で設け、該固定軸をその外径より大きな内径を有する前記回転部材の軸孔に挿通させることにより、固定軸に前記転動方向変化手段を回転自在に装着したことを特徴とする弾球遊技機。
【請求項２】
前記固定軸は、筒状に形成されて釘の外周に固定的に挿通されていることを特徴とする請求項１に記載の弾球遊技機。
【請求項３】
前記転動方向変化手段は、前記固定軸に対して着脱可能に装着されていることを特徴とする請求項１または２に記載の弾球遊技機。
【発明の詳細な説明】
【０００１】
【発明の属する技術分野】
本発明は、パチンコ機、アレンジボール機、雀球機等の弾球遊技機に関する。
【０００２】
【従来の技術】
従来、パチンコ機等の弾球遊技機においては、遊技機本体内に遊技盤を備えており、この遊技盤にはその上方から落下する遊技球の転動方向を左または右方向に変化させる釘風車と言われる転動方向変化手段が取り付けられている。この転動方向変化手段は、例えば図７に示すように、円板１０２の裏面に突設し釘１０５が挿通される軸孔１０３ａを有する筒状の回転部材１０３と、この回転部材１０３の外周に略垂直状態で一体的に突出した例えば３枚の羽根部材１０４とで構成されている。そして、この転動方向変化手段１０１は、図８に示すように、釘１０５を回転部材１０３の軸孔１０３ａに挿通させた状態で遊技盤１０６の表面に打ち込むことにより、遊技盤１０６に取り付けられている。
【０００３】
【発明が解決しようとする課題】
しかしながら、この弾球遊技機にあっては、所定長さの釘１０５を羽根部材１０４が一体化された回転部材１０３の軸孔１０３ａに単に挿通した状態で打ち込むことで遊技盤１０６に取り付けられる構造であるため、遊技盤１０６の表面と釘１０５の頭部１０５ａ間の寸法ｘ１（打ち込み寸法）や釘１０５の頭部１０５ａとガラス１０７間の寸法ｘ２を精度良く設定する（打ち込む）ことが困難で、転動方向変化手段１０１の遊技盤１０６に対する取付状態に複数の弾球遊技機毎にバラツキが発生し易く、このバラツキによって各転動方向変化手段１０１による遊技球の円滑かつ均一した転動動作が得られ難いという問題点を有している。
【０００４】
本発明は、このような事情に鑑みてなされたもので、その目的は、複数の弾球遊技機毎に簡易な構成で転動方向変化手段の遊技盤に対する取付状態を均一化させ、遊技球の円滑かつ均一な転動動作が容易に得られる弾球遊技機を提供することにある。
【０００５】
【課題を解決するための手段】
かかる目的を達成すべく、本発明のうち請求項１に記載の発明は、遊技盤の表面に略垂直に打ち込まれる釘と、外周面に羽根部材が設けられた筒状の回転部材を有し前記釘に回転自在に装着されて前記遊技盤の上方から落下する遊技球の転動方向を左または右に変化させる転動方向変化手段と、を備えた弾球遊技機において、前記遊技盤の表面と釘の頭部との間に、釘の打ち込み部より径大に形成され、遊技盤の表面と釘の頭部との間の寸法と同一長さでかつ前記回転部材の長さより長い固定軸を、その両端が前記遊技盤の表面と釘の頭部に当接状態で設け、該固定軸をその外径より大きな内径を有する前記回転部材の軸孔に挿通させることにより、固定軸に前記転動方向変化手段を回転自在に装着したことを特徴とする。
【０００６】
このように構成することにより、遊技球の転動方向を左または右に変化させる転動方向変化手段の筒状の回転部材が、釘の打ち込み部より径大な固定軸に挿通されると共に、固定軸の長さが遊技盤の表面と釘の頭部との間の寸法と同一で回転部材の長さより長く設定されて、固定軸の両端が遊技盤の表面と釘の頭部に当接状態とされ、かつ固定軸が該固定軸の外径より大きな内径を有する回転部材の軸孔に挿通されて、転動方向変化手段が固定軸に回転自在に装着されることから、遊技盤の表面と釘の頭部との間の寸法を固定軸の長さに応じた所定値に設定できて、各転動方向変化手段の遊技盤に対する取付状態の均一化が図れ、遊技球の転動動作等が円滑かつ均一に行われる。
【０００７】
そして、前記固定軸は、請求項２に記載の発明のように、筒状に形成され釘の外周に固定的に挿通されていることが好ましい。このように構成することにより、筒状の固定軸に釘を例えば打ち込むことで、固定軸が釘の外周に固定的に挿通されることから、固定軸が挿通された釘を従来の釘と同様に取り扱うことができて、釘の打ち込み作業等が容易に行える。
【０００８】
また、前記転動方向変化手段は、請求項３に記載の発明のように、前記固定軸に対して着脱可能に装着されていることが好ましい。このように構成することにより、転動方向変化手段が固定軸に着脱可能に装着されていることから、遊技球の衝突で摩耗や損傷し易い転動方向変化手段を固定軸から取り外すことができて、転動方向変化手段の交換作業等が容易に行える。
【００１０】
【発明の実施の形態】
以下、本発明の実施の形態を図面に基づいて詳細に説明する。
図１〜図５は、本発明をパチンコ機に適用した場合の一実施形態を示し、図１がその遊技盤の正面図、図２が転動方向変化手段の斜視図、図３がその取付状態の説明図、図４がその縦断面図、図５が図４のＡ−Ａ線に沿った断面図である。
【００１１】
図１において、パチンコ機の遊技盤１には、発射手段（図示せず）から発射された遊技球を案内するガイドレール２が環状に装着されると共に、ガイドレール２の内側の遊技領域３には、液晶表示手段４、第１図柄表示手段５、第２図柄表示手段６、第１図柄始動手段７、第２図柄始動手段８、可変入賞手段９、普通入賞手段１０〜１２、表示ランプ１３等が配置されている。
【００１２】
また、遊技盤１には、例えば液晶表示手段４の下部両側方に転動方向変化手段１５がそれぞれ配置されている。この転動方向変化手段１５は、図２に示すように、前面に位置する円板１６と、この円板１６の裏面に突設し軸孔１７ａを有する筒状の回転部材１７と、この回転部材１７の外周に略垂直状態で突出した３枚（もしくは４枚）の羽根部材１８とで構成されている。なお、転動方向変化手段１５の円板１６は、例えば薄い金属板で形成され、回転部材１７と羽根部材１８は樹脂成形によって一体形成されている。
【００１３】
そして、この転動方向変化手段１５は、図３〜図５に示すようにして遊技盤１に釘１９によって取り付けられている。すなわち、先ず図２に示すように釘１９の外周に、固定軸２０を例えば打ち込みによって固定的に挿通して固定軸２０と釘１９とを一体化する。次に、この一体化された釘１９の固定軸２０を、転動方向変化手段１５の回転部材１７の軸孔１７ａに挿通し、釘１９の先端側の打ち込み部１９ｂを遊技盤１にその表面側から打ち込む。この時、釘１９の打ち込み量は打ち込み部１９ｂより径大な長さＬの固定軸２０によって規制されることになる。
【００１４】
なお、固定軸２０は例えば金属のパイプ状に形成され、その長さＬは、転動方向変化手段１５を遊技盤１に取り付けた際に円滑に回転動作し得る寸法に設定されると共に、転動方向変化手段１５の回転部材１７の長さは、固定軸２０の長さＬより所定寸法短く設定され、また、固定軸２０の外径は転動方向変化手段１５の回転部材１７の軸孔１７ａの内径より若干小さく設定されている。
【００１５】
これにより、固定軸２０が一体化された釘１９で転動方向変化手段１５が遊技盤１の表面に取り付けられ、この時、遊技盤１の表面と釘１９の頭部１９ａとの間の寸法ｘ１は、前記固定軸２０の長さＬとなり、各転動方向変化手段１５の遊技盤１に対する打ち込み量（取付状態）が均一化される。また、その回転部材１７の長さが固定軸２０の長さＬより短く設定され、かつその軸孔１７ａの内径が固定軸２０の外径より大きく設定された転動方向変化手段１５は、これらの寸法設定により固定軸２０に対して円滑に回転動作するように装着される。
【００１６】
この実施形態の転動方向変化手段１５によれば、発射手段から発射された遊技球は、ガイドレール２に沿って遊技領域３の上部に進入し、誘導釘等により誘導されながら下方に落下して、液晶表示手段４の側方に誘導された遊技球が転動方向変化手段１５の羽根部材１８に衝突する。そして、この転動方向変化手段１５の羽根部材１８に衝突した遊技球は、羽根部材１８と回転部材１７が固定軸２０に対して回転することにより、左または右方向に転動方向が変化されて下方に落下する。
【００１７】
この時、転動方向変化手段１５が前述した如く所定長さＬの固定軸２０を介して遊技盤１に取り付けられ、遊技盤１と釘１９の頭部１９ａ間の寸法ｘ１と釘１９の頭部１９ａとガラス２１間の寸法ｘ２が所定値に均一設定されていることから、各転動方向変化手段１５による遊技球の転動動作が円滑に行われ、例えば遊技球が羽根部材１８と遊技盤１間や円板１６とガラス２１間等に嵌り込むこと等がなくなる。
【００１８】
このように、上記実施形態のパチンコ機においては、遊技球をその転動動作によって左または右方向に変化させる転動方向変化手段１５が、釘１９の外周に挿通された所定長さＬの固定軸２０を介して遊技盤１に取り付けられているため、予め釘１９の打ち込み部１９ｂより径大で所定長さＬに設定した固定軸２０によって、転動方向変化手段１５の遊技盤１に対する打ち込み量を規制することができて、各転動方向変化手段１５の遊技盤１への取付状態の均一化を図ることができる。
【００１９】
また、転動方向変化手段１５の回転部材１７の長さや軸孔１７ａの内径を所定値に設定すると共に、釘１９と固定軸２０を固定的に一体化することで、転動方向変化手段１５と釘１９との位置関係の一層の均一化が図れると共に、転動方向変化手段１５の固定軸２０に対する安定した回転動作が得られ、各転動方向変化手段１５に遊技球の円滑かつ均一な転動動作を得ることができる。
【００２０】
さらに、釘１９の外周に筒状の固定軸２０が打ち込み等により固定的に一体化されているため、固定軸２０が一体化された釘１９を従来の釘１０５と同様に取り扱うことができて、釘１９の打ち込み作業、すなわち転動方向変化手段１５の遊技盤１に対する取付作業等を容易に行うことができる。また、固定軸２０が一体化された釘１９を引き抜くことで転動方向変化手段１５を遊技盤１から取り外すことができるため、遊技球の衝突で摩耗や損傷した転動方向変化手段１５の交換作業を従来と同様に行うこともできる。
【００２１】
また、転動方向変化手段１５が円板１６の裏面に突設した筒状の回転部材１７と複数枚の羽根部材１８によって形成されているため、転動方向変化手段１５を必要最低限の部材で従来と略同様に構成できると共に、転動方向変化手段１５や釘１９の形状が従来と大きく異ならないため、大きな設計変更や製造設備の変更が不要となり、転動方向変化手段１５のコストアップを抑えることができる。
【００２２】
図６は、本発明の他の実施形態を示す取付状態の断面図である。以下、上記実施形態と同一部位には同一符号を付して説明する。この実施形態の転動方向変化手段１５の特徴は、回転部材１７を固定軸２０に対して着脱可能に装着した点にある。すなわち、釘１９の外周に挿通される固定軸２０の外周面の例えば全周に沿って深さの異なる２つの係止凹部２２を設けると共に、回転部材１７の例えば一部に前記係止凹部２２に対応した弾性変形可能な２つの係止突起２３を設ける。また、固定軸２０の外径を釘１９の頭部１９ａの外径より大きく設定する。
【００２３】
そして、回転部材１７の係止突起２３を固定軸２０の係止凹部２２に略係止させることにより、羽根部材１８が一体成形された回転部材１７（すなわち転動方向変化手段１５）を固定軸２０に装着し、図６の二点鎖線で示すように、係止突起２３を変形させて係止凹部２２との係止状態を解除することにより、転動方向変化手段１５を固定軸２０から取り外す。
【００２４】
この実施形態においても、釘１９の打ち込み部１９ｂより径大な固定軸２０によって釘１９の遊技盤１に対する打ち込み量を規制できて、上記実施形態と同様の作用効果が得られる他に、転動方向変化手段１５を略ワンタッチ操作で固定軸２０から取り外したり装着できるため、転動方向変化手段１５の交換作業を極めて容易に行うことができるという作用効果が得られる。この例の場合、転動方向変化手段１５の固定軸２０に対する着脱構造としては、例えば転動方向変化手段１５の複数個の構成部材による着脱構造とする等、他の適宜の着脱構造を採用できる。また、係止凹部２２と係止突起２３の数も２つに限らず、１つあるいは３つ以上であってもよい。
【００２５】
なお、本発明は上記各実施形態に限定されるものでもなく、例えば釘１９に対する固定軸２０の一体化も打ち込みに限らず、係止突起や係止凹部による係止、接着剤による固着等により一体化してもよい。また、例えば固定軸２０を釘１９に一体化することなく単に嵌挿させる構成としてもよい。また、上記各実施形態においては、釘１９の外周に筒状の固定軸２０を挿通させたが、例えば釘１９の製造時に頭部１９ａ側の所定長さＬ位置に打ち込み部１９ｂより径大な径大部（図示せず）を形成し、この径大部に固定軸２０の機能を持たせることも勿論可能である。また、転動方向変化手段１５に脱着時に使用する引っ掛け部（係止部）を設けてもよい。
【００２６】
さらに、上記各実施形態における転動方向変化手段１５の構成も、少なくもと軸孔１７ａを有する回転部材１７と複数枚の羽根部材１８を備えれば良く、例えば円板１６を含めた全ての部材を樹脂成形する等、その形状や材質も適宜のものを使用できる。さらに、本発明はパチンコ機に限らず、転動方向変化手段１５を備えた遊技機であれば、アレンジボール機、雀球機等の各種の弾球遊技機等においても適用することができる。
【００２７】
【発明の効果】
以上詳述したように、請求項１に記載の発明によれば、遊技球の転動方向を左または右に変化させる転動方向変化手段の筒状の回転部材が、釘の打ち込み部より径大な固定軸に挿通されると共に、固定軸の長さが遊技盤の表面と釘の頭部との間の寸法と同一で回転部材の長さより短く設定されて、固定軸の両端が遊技盤の表面と釘の頭部に当接状態とされ、かつ固定軸が該固定軸の外径より大きな内径を有する回転部材の軸孔に挿通されて、転動方向変化手段が固定軸に回転自在に装着されるため、遊技盤の表面と釘の頭部との間の寸法を固定軸の長さに応じた所定値に設定でき、各転動方向変化手段の遊技盤に対する取付状態を均一化することができて、遊技球の転動動作等を円滑かつ均一に行うことができる。また、転動方向変化手段が回転部材と羽根部材とを備えるため、該変化手段を必要最低限の部材でしかも安価に構成することができ、その取り扱いを容易に行うことができる。
【００２８】
また、請求項２に記載の発明によれば、請求項１に記載の発明の効果に加え、例えば筒状の固定軸に釘を打ち込むことにより固定軸が釘の外周に固定的に挿通されるため、固定軸が挿通された釘を従来の釘と同様に取り扱うことができて、釘の遊技盤表面への打ち込み作業等を容易に行うことができる。
【００２９】
また、請求項３に記載の発明によれば、請求項１または２に記載の発明の効果に加え、転動方向変化手段が固定軸に着脱可能に装着されているため、遊技球の衝突で摩耗や損傷し易い転動方向変化手段を固定軸から簡単に取り外すことができて、転動方向変化手段の交換作業等を容易に行うことができる。
【図面の簡単な説明】
【図１】本発明の一実施形態を示すパチンコ機の遊技盤の正面図である。
【図２】同その転動方向変化手段の斜視図である。
【図３】同その遊技盤への取付状態の説明図である。
【図４】同その縦断面図である。
【図５】同そのＡ−Ａ線に沿った断面図である。
【図６】同他の実施形態の断面図である。
【図７】従来の転動方向変化手段の斜視図である。
【図８】同その取付状態の説明図である。
【符号の説明】
１  遊技盤
１５  転動方向変化手段
１６  円板
１７  回転部材
１７ａ  軸孔
１８  羽根部材
１９  釘
１９ａ  頭部
１９ｂ  打ち込み部
２０  固定軸
２２  係止凹部
２３  係止突起
【図１】
0004183948.tif 000002
【図２】
0004183948.tif 000003
【図３】
0004183948.tif 000004
【図４】
0004183948.tif 000005
【図５】
0004183948.tif 000006
【図６】
0004183948.tif 000007
【図７】
0004183948.tif 000008
【図８】
0004183948.tif 000009